(57)【特許請求の範囲】
【請求項１】
ランプが着脱自在に取り付けられるソケット部と、ソケット部が取り付けられるソケット本体と、ソケット本体と対向するソケット部の部位に設けられた給電用のタブ端子と、導電性材料から略Ｕ字状に形成され、一方の側片にタブ端子と嵌合する端子接続部が設けられると共に他方の側片に電線がかしめ固定されるかしめ固定部が設けられた差込型接続端子とを備え、差込型接続端子は両側片間を連結する連結部をソケット本体と反対側に向けた状態でタブ端子に接続されており、端子接続部がタブ端子の根元まで挿入された状態で連結部と先端が当接するリブをソケット本体に設けたことを特徴とするランプソケット。
【発明の詳細な説明】
【０００１】
【発明の属する技術分野】
本発明は、ランプソケットに関するものである。
【０００２】
【従来の技術】
従来のランプソケットの分解斜視図を図６に示す。このランプソケットは、白熱電球などのランプが着脱自在に接続されるソケット部１と、施工面に取り付けられ、ソケット部１が着脱自在に取り付けられる略円盤状のソケット本体２′とで構成される。
【０００３】
ソケット部１は略円筒状であって、一端側にはランプの口金部を保持する口金保持部（図示せず）が設けられるとともに、ランプに電力を供給するための給電端子（図示せず）が設けられている。一方、ソケット部１の他端側には、導電材料から略短冊状に形成され給電端子に電気的に接続されたタブ端子３が２個配設されており、各タブ端子３には差込型接続端子４が着脱自在に接続されている。
【０００４】
差込型接続端子４は導電材料から略Ｕ字状に形成されており、一方の側片４ｂにはタブ端子３と着脱自在に嵌合する端子接続部５が設けられ、他方の側片４ｃには電源線２２がかしめ固定されるかしめ固定部６が設けられている。
【０００５】
ここで、差込型接続端子４は、側片４ｂ，４ｃ間を連結する連結部４ａをソケット本体２′と反対側に向けた状態で、端子接続部５にタブ端子３が挿入されており、差込型接続端子４、タブ端子３及び給電端子を介してランプに電力が供給されている。
【０００６】
【発明が解決しようとする課題】
上記構成のランプソケットでは、タブ端子３がソケット部１の奥に取り付けられていたり、ソケット部１内の作業スペースが狭い場合、端子接続部５の接続作業がやりにくく、タブ端子３の根元まで端子接続部５が確実に挿入されず、接触不良や端子接続部５の脱落などの不具合が発生して、ランプが不点となる虞があった。
【０００７】
本発明は上記問題点に鑑みて為されたものであり、その目的とするところは、タブ端子と差込型接続端子とを確実に接続させることのできるランプソケットを提供することにある。
【０００８】
【課題を解決するための手段】
上記目的を達成するために、請求項１の発明では、ランプが着脱自在に取り付けられるソケット部と、ソケット部が取り付けられるソケット本体と、ソケット本体と対向するソケット部の部位に設けられた給電用のタブ端子と、導電性材料から略Ｕ字状に形成され、一方の側片にタブ端子と嵌合する端子接続部が設けられると共に他方の側片に電線がかしめ固定されるかしめ固定部が設けられた差込型接続端子とを備え、差込型接続端子は両側片間を連結する連結部をソケット本体と反対側に向けた状態でタブ端子に接続されており、端子接続部がタブ端子の根元まで挿入された状態で連結部と先端が当接するリブをソケット本体に設けたことを特徴とし、差込型接続端子の端子接続部をタブ端子と嵌合させ、ソケット部をソケット本体に取り付けると、端子接続部がタブ端子の根元に挿入される位置まで、ソケット本体に設けたリブが差込型接続端子の連結部を押圧するので、タブ端子と差込型接続端子とを確実に接続させることができ、接触不良や差込型接続端子の脱落などの不具合を防止できる。
【０００９】
【発明の実施の形態】
本発明の実施の形態を図１乃至図５を参照して説明する。ランプソケットは、白熱電球などのランプが着脱自在に接続されるソケット部１と、天井面などの施工面に取り付けられ、ソケット部１が着脱自在に取り付けられるソケット本体２とで構成され、ソケット部１及びソケット本体２は絶縁性を有する合成樹脂から形成されている。
【００１０】
ソケット部１は略円筒状であって、一端側には例えばランプの口金部に形成されたねじ溝と螺合するねじ部（図示せず）よりなる口金保持部が設けられ、ランプに電力を供給するための給電端子９が２個配設されている。一方、ソケット部１の他端側には筒内を二分する隔壁８が設けられており、導電材料から給電端子９と連続一体に形成された略短冊状のタブ端子３が隔壁８の両側面にそれぞれ配設され、各タブ端子３には例えばファストン（登録商標）端子のような差込型接続端子４が着脱自在に接続される。
【００１１】
差込型接続端子４は導電材料から略Ｕ字状に形成されており、一方の側片４ｂにはタブ端子３と着脱自在に嵌合する端子接続部５が設けられ、他方の側片４ｃには電源線２２がかしめ固定されるかしめ固定部６が設けられている。ここで、差込型接続端子４は、側片４ｂ，４ｃ間を連結する連結部４ａをソケット本体２と反対側に向けた状態で、タブ端子３に端子接続部５が接続される。
【００１２】
ソケット本体２は略円盤状であって、ソケット部１が取り付けられる面には略円筒状の取付台１０が突設されている。ここで、取付台１０には、タブ端子３の根元まで端子接続部５が挿入された状態で各差込型接続端子４の連結部４ａに先端が当接するリブ７が一対突設されている。したがって、差込型接続端子４の端子接続部５をタブ端子３と嵌合させて、ソケット部１をソケット本体２に取り付けると、端子接続部５がタブ端子３の根元に挿入される位置まで、ソケット本体２に設けたリブ７が差込型接続端子４の連結部４ａを押圧するので、タブ端子３と差込型接続端子４とを確実に接続させることができ、接触不良や差込型接続端子４の脱落を防止できる。
【００１３】
また、取付台１０と対向する隔壁８の面にはタッピングねじを挿通するためのねじ挿通孔１２が２個穿設され、ねじ挿通孔１２に対応する取付台１０の部位にはねじ孔１３が２個形成されており、ねじ挿通孔１２に挿入されたタッピングねじ（図示せず）をねじ孔１３に螺入することにより、ソケット部１がソケット本体２にねじ止めされる。ここで、ソケット部１と対向する取付台１０の表面には、隔壁８によって２つに区切られたソケット部１の各領域に対応して電源線２２を挿通するための電線挿通孔１１，１１が穿設されており、差込型接続端子４，４に接続された電源線２２，２２は電線挿通孔１１，１１からソケット本体２の内部に引き込まれる。尚、取付台１０と対向する隔壁８の面には、取付台１０に突設された位置決め用の突起１４と係合する穴１５が形成され、ソケット部１の周面には、取付台１０の周部に突設された略半月状の突片１６，１６と係合する溝１７，１７が形成されており、ソケット部１をソケット本体２に取り付ける際は、突起１４と穴１５とを係合させるとともに、突片１６と溝１７とを係合させることによって、ソケット部１がソケット本体２に位置決めされる。
【００１４】
また、ソケット本体２におけるソケット部１と反対側の面には一対の引掛栓刃１８，１８が突設されており、天井面などの施工面に配設された引掛シーリング２０の栓刃挿入口２１，２１に引掛栓刃１８，１８を挿入して、ソケット本体２を回転させると、引掛シーリング２０内に配設された刃受ばね（図示せず）と引掛栓刃１８，１８とが係合して、刃受ばねと引掛栓刃１８，１８とが電気的に接続されるとともに、ソケット本体２が引掛シーリング２０に機械的に結合される。ソケット本体２の表面には内部と連通する電線引出口１９が穿設されており、差込型接続端子４，４に接続された電源線２２，２２と、引掛栓刃１８，１８にそれぞれ電気的に接続された電線（図示せず）とは電線引出口１９から外部に引き出されて、図示しない制御回路に接続されており、制御回路によってランプへの給電がオン／オフされ、ランプが点灯又は消灯する。
【００１５】
尚、ソケット本体２の形状は上記の形状に限定する趣旨のものではなく、ソケット部１が取り付けられる面に、タブ端子３の根元まで端子接続部５が挿入された状態で各差込型接続端子４の連結部４ａに先端が当接するリブ７が突設されていれば、どのような形状のものでも良い。
【００１６】
【発明の効果】
上述のように、請求項１の発明は、ランプが着脱自在に取り付けられるソケット部と、ソケット部が取り付けられるソケット本体と、ソケット本体と対向するソケット部の部位に設けられた給電用のタブ端子と、導電性材料から略Ｕ字状に形成され、一方の側片にタブ端子と嵌合する端子接続部が設けられると共に他方の側片に電線がかしめ固定されるかしめ固定部が設けられた差込型接続端子とを備え、差込型接続端子は両側片間を連結する連結部をソケット本体と反対側に向けた状態でタブ端子に接続されており、端子接続部がタブ端子の根元まで挿入された状態で連結部と先端が当接するリブをソケット本体に設けたことを特徴とし、差込型接続端子の端子接続部をタブ端子と嵌合させ、ソケット部をソケット本体に取り付けると、端子接続部がタブ端子の根元に挿入される位置まで、ソケット本体に設けたリブが差込型接続端子の連結部を押圧するので、タブ端子と差込型接続端子とを確実に接続させることができ、接触不良や差込型接続端子の脱落などの不具合を防止できるという効果がある。
【図面の簡単な説明】
【図１】本実施形態のランプソケットの要部破断断面図である。
【図２】同上の分解斜視図である。
【図３】同上の組立状態を説明する図である。
【図４】同上の施工状態を説明する図である。
【図５】同上に用いる差込型接続端子とタブ端子の嵌合状態を説明する図である。
【図６】従来のランプソケットの分解斜視図である。
【符号の説明】
１  ソケット部
２  ソケット本体
３  タブ端子
４  差込型接続端子
４ａ  連結部
４ｂ，４ｃ  側片
５  端子接続部
６  かしめ固定部
７  リブ
８  隔壁
２２  電源線
【図１】
0004025466.tif 000002
【図２】
0004025466.tif 000003
【図３】
0004025466.tif 000004
【図４】
0004025466.tif 000005
【図５】
0004025466.tif 000006
【図６】
0004025466.tif 000007